(57)【要約】【課題】テンキーを備えてもコストを低減できるとともに多量の用途にも適用でき、しかも１台のリーダーでも複数のカードの処理を行う。【解決手段】ＩＣカード１がリーダーのＩＣカード有無確認に有効な位置に置かれた状態で、ＩＣカード１のテンキー４の操作により暗証番号が入力される。この暗証番号がリーダーに格納されている暗証番号と一致すると、ＩＣカード１のテンキー４の操作によりリーダーに入力された情報がこのリーダー側で処理されて、書換可能メモリ７内に格納されている情報の読み取りや書き換え、および書換可能メモリ７への書き込みが行われる。このようにして、テンキー付きＩＣカードで、各処理がリーダ側で行われる。【選択図】    図１
2005018203.tif 000002
【特許請求の範囲】
【請求項１】
アンテナおよびテンキーを備えたＩＣカードにおいて、
固有の固定ＩＤコードと情報が格納されている書換メモリとを有するＲＦＩＤチップを備え、
前記テンキーの操作による情報の処理がＩＣカードのリーダー側で行われるようになっていることを特徴とするＩＣカード。
【請求項２】
抵抗分圧回路およびＡ／Ｄコンバータを備え、前記テンキーによる情報を前記抵抗分圧回路を介してＡ／Ｄコンバータに送信し、このＡ／Ｄコンバータで前記情報に対してＡ／Ｄ変換処理を行うことを特徴とする請求項１記載のＩＣカード。
【請求項３】
前記ＲＦＩＤチップのリファレンス電圧の個体差および前記テンキーの分圧抵抗の個体差を少なくとも補正するためのＡ／Ｄ補正情報を格納する書換可能メモリを備えていることを特徴とする請求項１または２記載のＩＣカード。
【請求項４】
少なくとも請求項１ないし３のいずれか１記載のＩＣカードであって複数のＩＣカードと１台の前記リーダーとからなり、
前記複数のＩＣカードの各テンキーの操作による情報の処理が１台のリーダーで行われるようになっていることを特徴とするカードシステム。
【発明の詳細な説明】
【０００１】
【発明の属する技術分野】
本発明は、例えば、キャッシュカード、クレジットカード、電子マネー、あるいはＩＤカード（Ｉｄｅｎｔｉｆｉｃａｔｉｏｎ  Ｃａｒｄ）等のＩＣカード（ｉｎｔｅｇｒａｔｅｄ  Ｃｉｒｃｕｉｔ  Ｃａｒｄ）およびこれを用いたカードシステムの技術分野に属し、特に、テンキーを備えたＩＣカードおよびこれを用いたカードシステムの技術分野に属する。
【０００２】
【従来技術】
従来の一般的なＩＣカードはＩＣチップとアンテナのみを備えているとともに、ＩＣカードの情報処理はこのＩＣカードのリーダーに備えられているテンキーの操作によって行われている。しかし、このようにリーダー側にテンキーを設けたのでは、リーダーの屋外使用などで防水性や防塵性などを考慮する必要がある場合等には、リーダーの構造が複雑かつ面倒なものとなる。
そこで、テンキーを備えたＩＣカードが提案されている（特許文献１参照）。
この特許文献１に開示のテンキーを備えたＩＣカードでは、ＩＣカードの、例えばテンキー入力に対する認証などの情報処理をＩＣカード側で行う必要がある。
【特許文献１】
特開２００２−１０９４３９号公報
【０００３】
【発明が解決しようとする課題】
しかしながら、この従来のテンキー付きＩＣカードでは、ＩＣカードの情報処理をＩＣカード側で行うようにしているため、ＩＣカードに内蔵されているＩＣチップのコストが高くなっていた。
また、ＩＣカードの用途毎に別々にＩＣチップを作る必要があるため、用途が少ない場合にはその用途のためのＩＣチップの生産性が悪く、少量の用途には適していなかった。
【０００４】
更に、１台のリーダーで１枚のＩＣカードの処理を行うことしかできないため、１台のリーダーで複数のＩＣカードの処理を行うことができなかった。
更に、複数のＲＦＩＤ（Ｒａｉｄｏ  Ｆｒｅｑｕｅｃｙ  Ｉｄｅｔｉｆｉｃａｔｉｏｎ：無線周波による非接触自動識別技術）を内蔵したＩＣカードも従来提案されており、こＩＣカードでは、個々のＲＦＩＤに格納されている情報を読み出すことができる。しかし、複数のＩＣカードに対して、個々にテンキーを対応させて操作することはできなかった。
【０００５】
本発明はこのような問題に鑑みてなされたものであって、その目的は、テンキーを備えてもコストを低減できるとともに多量の用途にも適用でき、しかも１台のリーダーでも複数のカードの処理を行うことのできる安価なＩＣカードおよびこれを用いたカードシステムを提供することである。
【０００６】
【課題を解決するための手段】
前述の課題を解決するために、請求項１の発明のＩＣカードは、アンテナおよびテンキーを備えたＩＣカードにおいて、固有の固定ＩＤコードと情報が格納されている書換メモリとを有するＲＦＩＤチップを備え、前記テンキーの操作による情報の処理がＩＣカードのリーダー側で行われるようになっていることを特徴としている。
【０００７】
また、請求項２の発明は、抵抗分圧回路およびＡ／Ｄコンバータを備え、前記テンキーによる情報を前記抵抗分圧回路を介してＡ／Ｄコンバータに送信し、このＡ／Ｄコンバータで前記情報に対してＡ／Ｄ変換処理を行うことを特徴としている。
更に、請求項３の発明は、前記ＲＦＩＤチップのリファレンス電圧の個体差および前記テンキーの分圧抵抗の個体差を少なくとも補正するためのＡ／Ｄ補正情報を格納する書換可能メモリを備えていることを特徴としている。
【０００８】
更に、請求項４の発明のカードシステムでは、少なくとも請求項１ないし３のいずれか１記載のＩＣカードであって複数のＩＣカードと１台の前記リーダーとからなり、前記複数のＩＣカードの各テンキーの操作による情報の処理が１台のリーダーで行われるようになっていることを特徴としている。
【０００９】
【作用】
このように構成された本発明のＩＣカードにおいては、ＩＣカードのテンキーの操作による情報の処理がＩＣカードのリーダー側で行われる。したがって、ＩＣカード側で行われる処理が最低限に抑えられる。これにより、テンキー４をＩＣカードに設けても、ＩＣカードのコストが低減する。また、同じＲＦＩＤチップを使用したＩＣカードを使用することで、リーダー側のソフトウェアを変えるだけで、ＩＣカードは多種の用途に使用可能となる。
【００１０】
また、書き換えが不可能な固定ＩＤコードを持つことで、ＩＣカードを多種の用途に使用しても混同せずに使用可能となる。更に、固定ＩＤコードはＲＦＩＤチップ内に埋め込まれていることで、盗難したカードの固定ＩＤコードを変えるというようなＩＣカードの変造を行うことが不可能となる。
更に、リーダー側にテンキーを設ける必要がないので、テンキーのための防水対策、防塵対策および設置スペースが不要となる。
【００１１】
特に、請求項２記載のＩＣカードでは、テンキーが押された情報が、抵抗分圧回路を介してＡ／Ｄコンバータに出力され、Ａ／Ｄコンバータで情報に対してＡ／Ｄ変換処理が行われるので、ＲＦＩＤチップの外部接続するためのピン数が低減される。これにより、コストダウンおよび信頼性の向上を図ることができる。
更に、請求項３記載のＩＣカードでは、ＲＦＩＤチップの書換可能メモリに書き込んだＡ／Ｄ補正情報により、ＲＦＩＤチップ毎のリファレンス電圧のばらつきや分圧抵抗のばらつきの補正が行われるので、これらのばらつきによるキーの誤認識が防止される。
【００１２】
更に、請求項４の発明のカードシステムにおいては、１台のリーダーで複数のＩＣカードの操作が受け付けられるようになる。このとき、各ＩＣカードには固有の固定ＩＤ付きのＲＦＩＤチップが用いられているため、どのＩＣカードと通信しているかを、リーダー側で確実に認識することができる。また、テンキーが個々のＩＣカードに付いているため、テンキーを操作している者は自分の操作に専念可能となる。
【００１３】
【発明の実施の形態】
以下、図面を用いて、本発明の実施の形態を説明する。
図１は、本発明にかかるＩＣカードの実施の形態の一例を模式的に示す図、図２は図１に示す例のＩＣカードを読みとるリーダーを模式的に示す図である。
【００１４】
図１に示すように、この例におけるＩＣカード１には、ＲＦＩＤチップ２と、このＲＦＩＤチップ２に接続された抵抗分圧回路３と、この抵抗分圧回路３に接続されたテンキー４と、およびＲＦＩＤチップ２に接続されたアンテナ５とがそれぞれ内蔵されている。
また、ＲＦＩＤチップ２には、そのＩＣカード固有であり書換不能な固定ＩＤ（Ｉｄｅｔｉｆｉｃａｔｉｏｎ）コード６と、書換可能メモリ７と、書換可能メモリ７に格納されＲＦＩＤチップ２のリファレンス電圧の個体差およびテンキーの分圧抵抗の個体差等を補正するためのＡ／Ｄ補正情報８と、Ａ／Ｄコンバータ９とがそれぞれ内蔵されている。
【００１５】
一方、図２に示すようにＩＣカード１を読みとるリーダー１０には、データ処理部１１と、このデータ処理部１１に接続された送受信回路１２と、この送受信回路１２に接続されたアンテナ１３と、データ処理部１１にそれぞれ接続された書換可能メモリ１４、表示装置１５および警報装置１６とがそれぞれ内蔵されている。その場合、ＩＣカード１はリーダー１０と接触しない非接触型のＩＣとして構成されている。
【００１６】
リーダー１０は、ＩＣカード１の有無をチェック（確認）するための決められたコードを送受信回路１２からアンテナ１３を介して０．  数秒周期で単発的に送信している。ＩＣカード１がリーダー１０によるＩＣカード１の有無確認に有効な位置に置かれると、ＩＣカード１はそのアンテナ５を介してリーダー１０からの決められたコードを受信する。すると、ＩＣカード１のＲＦＩＤチップ２からＩＣカード１がリーダー１０による有無確認に有効な位置に存在していることを示すコードをリーダー１９へ送信する。
【００１７】
リーダー１０はこのＩＣカード１から送信されたコードを受信することで、ＩＣカード１有りを確認する。これにより、リーダー１０のデータ処理部１１は送受信回路１２およびアンテナ１３を通してＩＣカード１へ電波を出力し、ＩＣカード１はこの電波をアンテナ５で受信する。受信された電波信号のキャリヤ成分は、図示しないが整流回路および安定化電源回路を通してＩＣカード１の電源として供給され、リーダー１０とＩＣカード１との通信が可能となる。
【００１８】
次いで、リーダー１０は、ＩＣカード１の固定ＩＤコード６を要求する信号を送信する。ＩＣカード１はこの要求信号を受信すると、ＩＣカード１のＲＦＩＤチップ２内に格納されているそのＩＣカード１の固定ＩＤコード６がアンテナ５を介してリーダー１０側へ出力される。リーダー１０側では、ＩＣカード１のアンテナ５から出力された固定ＩＤコード６の信号がアンテナ１３によって受信され、受信された固定ＩＤコード６は送受信回路１２を通してデータ処理部１１に入力される。
【００１９】
そして、この固定ＩＤコード６はリーダー１０のデータ処理部１１によって特定される。このとき、データ処理部１１がＩＣカード１の固定ＩＤコード６がリーダー１０に登録されていないＩＤコードであると判断した場合には、ＩＣカード１のテンキー４操作による何らかの信号が入力されても、リーダー１０のデータ処理部１１は、このデータ処理部１１内の処理やＩＣカード１に対する処理等の何らの処理も行わないとともに、固定ＩＤコード６が登録されていないＩＤコードである旨の信号を送受信回路１２を通して表示装置１５に出力する。これにより、表示装置１５はＩＣカード１が正規のＩＣカードでない旨を表示する。また、データ処理部１１は、必要に応じて警報装置１５に出力信号を発し、警報装置１５は何らかの警報を発する。
【００２０】
ＩＣカード１の固定ＩＤコード６がリーダー１０に登録されているＩＤコードであるとデータ処理部１１が判断した場合には、データ処理部１１による暗証番号（パスワード）の処理が可能となる。
データ処理部１１による暗証番号処理可能状態で、ＩＣカード１のテンキー４を操作することにより、暗証番号がリーダー１０側に入力される。すなわち、暗証番号に対応してテンキー４のキースイッチ（不図示）が押し下げられる毎に、その押し下げられたキースイッチに対応する電圧が抵抗分圧回路３を通してＲＦＩＤチップ２内のＡ／Ｄコンバータ９に入力される。すると、Ａ／Ｄコンバータ９によって、この電圧がデジタルの数値に変換される。次いで、この数値はＡ／Ｄ補正情報８に基づいてＲＦＩＤチップ２のリファレンス電圧の個体差が補正され、補正された数値はアンテナ５からリーダー１０側へ出力される。リーダー１０側では、ＩＣカード１のアンテナ５から出力された数値の信号がアンテナ１３によって受信され、受信された数値、すなわち、ＩＣカード１のテンキー４操作による暗証番号の情報は送受信回路１２を通してデータ処理部１１に入力される。
【００２１】
データ処理部１１では入力された暗証番号の情報により、ＩＣカード１の押し下げられたキーが特定されるとともに、データ処理部１１はこの暗証番号と書換可能メモリ１４に格納されている固定ＩＤコード６と対応する暗証番号とを比較する。そして、データ処理部１１は暗証番号が一致しないと判断した場合には、データ処理部１１は処理不能状態に設定されるとともに、暗証番号が一致しない旨を前述と同様に表示装置１５に表示する。
【００２２】
また、データ処理部１１は暗証番号が一致すると判断した場合には、データ処理部１１は暗証番号処理以外の処理可能な状態に設定される。
データ処理部１１のこの処理可能な状態で、リーダー１０側からＩＣカード１内の書換可能メモリ７内に格納されている情報の読み取りや書き換え、およびＩＣカード１内の書換可能メモリ７への書き込みが行われる。また、読み取り、書き換えあるいは書き込みが行われた書換可能メモリ７内の情報がリーダー１０側の表示装置１５に表示される。これにより、ＩＣカード１の所有者は、ＩＣカード１の書換可能メモリ７に格納されている情報を知ることができる。
【００２３】
一方、データ処理部１１の暗証番号処理以外の処理可能な状態で、ＩＣカード１のテンキー４が操作されることにより、このテンキー４操作に基づく情報が、前述のテンキー４操作による暗証番号入力の場合と同様にして、リーダー１０側のデータ処理部１１に入力される。データ処理部１１は、ＩＣカード１側から入力された情報に基づいて書換可能メモリ１４内に格納されている情報の読み取りや書き換え、および書換可能メモリ１４への書き込みが行われる。また、読み取り、書き換えあるいは書き込みが行われた書換可能メモリ１４内の情報がリーダー１０側の表示装置１５に表示される。これにより、ＩＣカード１の所有者は、リーダー１０の書換可能メモリ１４に格納されている情報を知ることができる。
【００２４】
また、複数のＩＣカード１がリーダー１０によるＩＣカード１の有無確認に有効な位置に置かれた場合には、前述と同様に、リーダー１０側でそれぞれの固定ＩＣコード６が認識される。そして、それらの固定ＩＤコード６を基に順番に各ＩＣカード１との通信が行われる。その場合、リーダー１０側のコンピュータによるいわゆるマルチタスク動作で、数十ｍｓという短時間に各ＩＣカード１を次々と切り換えながら、これらのＩＣカード１との通信を行う。これにより、複数のＩＣカードが区別されて、見かけ上同時に前述の処理が行われる。
そして、ＩＣカード１側からリーダー１０側へ送る情報およびリーダー１０側からＩＣカード１側へ送る情報をそれぞれ暗号化して送受信することが機密漏洩を防止する上で好ましい。
【００２５】
この例のＩＣカード１によれば、ＩＣカード１側でのテンキー４操作に基づく処理をすべてリーダー１０側で行うようにしているので、ＩＣカード１側ではこの処理を行わない。これにより、テンキー４をＩＣカード１に設けても、ＩＣカード１のコストを低減できる。また、同じＲＦＩＤチップを使用したＩＣカード１を使用することで、リーダー１０側のソフトウェアを変えるだけで、ＩＣカード１を多種の用途に使用できる。
【００２６】
また、書き換えが不可能な固定ＩＤコード６を持つことで、ＩＣカード１を多種の用途に使用しても混同せずに使用できる。
更に、固定ＩＤコード６はＲＦＩＤチップ２内に埋め込まれているため、盗難したカードの固定ＩＤコード６を変えるというようなＩＣカード１の変造を行うことが不可能となる。
【００２７】
更に、リーダー１０側にテンキーを設ける必要がないので、テンキーのための防水対策、防塵対策および設置スペースが不要にできる。
更に、テンキー４が押された情報を、抵抗分圧回路３を介してＡ／Ｄコンバータ９に出力し、Ａ／Ｄコンバータ９で情報に対してＡ／Ｄ変換処理を行うことで、ＲＦＩＤチップ２の外部接続するためのピン数を少なくすることができる。これにより、コストダウンおよび信頼性の向上を図ることができる。
更に、ＲＦＩＤチップ２の書換可能メモリ７に書き込んだＡ／Ｄ補正情報により、ＲＦＩＤチップ２毎のリファレンス電圧のばらつきの補正を行うことで、リファレンス電圧のばらつきによるキーの誤認識を防止することができる。
【００２８】
また、Ａ／Ｄ変換のためのリファレンス電圧の個体差やテンキーの分圧抵抗の個体差を書換可能なメモリ７に製造後書き込むことができる。その結果、高い絶対精度を必要とせずにＩＣカード側のＲＦＩＤチップ２や抵抗分圧回路３を作ることができる。これにより、ＩＣカード１のコストを更に低減できる。
【００２９】
更に、１台のリーダー１０で複数のＩＣカード１の操作を受け付けることができるようにしているが、固有の固定ＩＤ付きのＲＦＩＤチップ２を用いているため、どのＩＣカード５と通信しているかを、リーダー１０側で確実に認識することができる。また、テンキー４が個々のＩＣカード１に付いているため、テンキー４を操作している者は自分の操作に専念することができる。
【００３０】
なお、前述の例では、ＩＣカード１を非接触型のＩＣとして構成しているが、本発明では、リーダー１０の接触する接触型のＩＣを用いることもできる。
また、前述の例では、リーダー１０に表示装置１５および警報装置１６を内蔵するものとしているが、本発明は、これらの装置１５，１６は必ずしも必要ではなく、例えば、リーダー１０が表示装置１５や警報装置１６を備える機器に組み込まれた場合等には、これらの装置１５，１６は省略することができる。
【００３１】
【発明の効果】
以上の説明から明らかなように、本発明のＩＣカードによれば、ＩＣカードのテンキーの操作による情報の処理をＩＣカードのリーダー側で行うようにしているので、ＩＣカード側で行われる処理を最低限に抑えることができる。これにより、テンキーをＩＣカードに設けても、ＩＣカードのコストを低減できる。また、同じＲＦＩＤチップを使用したＩＣカードを使用することで、リーダー側のソフトウェアを変えるだけで、ＩＣカードを多種の用途に効果的に使用することができるようになる。
【００３２】
また、書き換えが不可能な固定ＩＤコードを持つことで、ＩＣカードを多種の用途に使用しても混同せずに使用することができる。更に、固定ＩＤコードをＲＦＩＤチップ内に埋め込むことで、盗難したカードの固定ＩＤコードを変えるというようなＩＣカードの変造を防止することができる。
更に、リーダー側にテンキーを設ける必要がないので、テンキーのための防水対策、防塵対策および設置スペースを不要にできる。
【００３３】
特に、請求項２記載のＩＣカードによれば、テンキーによる情報を、抵抗分圧回路を介してＡ／Ｄコンバータに出力し、Ａ／Ｄコンバータで情報に対してＡ／Ｄ変換処理を行うようにしているので、ＲＦＩＤチップの外部接続するためのピン数を少なくできる。これにより、コストダウンおよび信頼性の向上を図ることができる。
【００３４】
更に、請求項３記載のＩＣカードによれば、ＲＦＩＤチップの書換可能メモリに書き込んだＡ／Ｄ補正情報により、ＲＦＩＤチップ毎のリファレンス電圧のばらつきや分圧抵抗のばらつきの補正を行うようにしているので、これらのばらつきによるキーの誤認識を防止できる。
【００３５】
更に、請求項４の発明のカードシステムによれば、１台のリーダーで複数のＩＣカードの操作を受け付けるようにしているが、各ＩＣカードには固有の固定ＩＤ付きのＲＦＩＤチップを用いているため、どのＩＣカードと通信しているかを、リーダー側で確実に認識することができる。また、テンキーが個々のＩＣカードに付いているため、テンキーを操作している者は自分の操作に専念することができる。
【図面の簡単な説明】
【図１】本発明にかかるＩＣカードの実施の形態の一例を模式的に示す図である。
【図２】図１に示す例のＩＣカードを読みとるリーダーを模式的に示す図である。
【符号の説明】
１…ＩＣカード、２…ＲＦＩＤチップ、３…抵抗分圧回路、４…テンキー、５…アンテナ、６…固定ＩＤコード、７…書換可能メモリ、８…Ａ／Ｄ補正情報、９…Ａ／Ｃコンバータ、１０…リーダー
【図１】
2005018203.tif 000003
【図２】
2005018203.tif 000004